(57)【特許請求の範囲】
【請求項１】
筒の両端に該筒よりも大径のフランジが形成され該筒にケーブルが巻き付けられるケーブルドラムを支持するケーブルドラム支持装置であって、
前記ケーブルドラムの少なくとも一部が収容される収容部を有する装置本体部と、
筒内部と連通可能に前記フランジに形成されたシャフト孔に挿通され、且つ、前記装置本体部に固定されている軸部と、
前記装置本体部に取り付けられ、前記フランジの周縁に押しつけられて該フランジと共回りをすることにより前記ケーブルドラムの回転を制御する回転制御手段と、
前記軸部と略平行に延びる第１及び第２の棒状部材と、
前記第１及び第２の棒状部材をそれぞれ前記装置本体部に付勢させる第１及び第２の弾性体と、
前記第１及び第２の弾性体に挿通された第１及び第２の挿通部材の長手方向に移動可能であり、それぞれ、前記第１及び第２の挿通部材に固定される固定手段を有する第１及び第２の固定具とを備え、
前記第２の棒状部材は、前記軸部に対して前記第１の棒状部材とは反対側に位置しており、
前記第１及び第２の棒状部材は、それぞれ、前記第１及び第２の挿通部材に取り付けられており、前記第１及び第２の挿通部材の長手方向において前記第１及び第２の弾性体と前記第１及び第２の固定具とで挟まれており、
前記第１の固定具が前記第１の挿通部材の長手方向に移動すると、前記第１の棒状部材と前記軸部との距離が変わるとともに、前記第１の弾性体の伸縮量が変わり、
前記第２の固定具が前記第２の挿通部材の長手方向に移動すると、前記第２の棒状部材と前記軸部との距離が変わるとともに、前記第２の弾性体の伸縮量が変わり、
前記第１の棒状部材と前記軸部との距離が前記第２の棒状部材と前記軸部との距離よりも短くなるように、前記第１及び第２の固定具はそれぞれ前記第１及び第２の挿通部材の所定の位置に固定されており、
前記回転制御手段は、前記第１の棒状部材が前記ケーブルドラムの回転に伴って当該ケーブルドラムの回転方向とは逆向きに回転するように構成されており、
前記ケーブルドラムが回転したときには、前記第２の棒状部材は前記ケーブルドラムの回転方向とは逆向きに前記第１の棒状部材よりも弱く回転することを特徴とするケーブルドラム支持装置。
【請求項２】
請求項１に記載のケーブルドラム支持装置において、
前記第１及び第２の挿通部材は、それぞれ、前記装置本体部の前記収容部の底部から開口へ向かう方向に延びており、
前記第２の弾性体は、前記第１の弾性体よりも縮んでいることを特徴とするケーブルドラム支持装置。
【請求項３】
請求項１又は２に記載のケーブルドラム支持装置において、
前記第１及び第２の挿通部材は、ネジであり、
前記第１及び第２の固定具は、ナットであることを特徴とするケーブルドラム支持装置。
【発明の詳細な説明】
【技術分野】
【０００１】
本発明は、ケーブルドラム支持装置に関し、特に、ケーブルが巻かれたケーブルドラムを支持するケーブルドラム支持装置に関する。
【背景技術】
【０００２】
従来より、電柱間には、光ドロップケーブルなどの光ケーブルが架設されている。そして、特許文献１及び２には、光ケーブルが巻き付けられたケーブルドラムが支持されるケーブルドラム支持装置が開示されている。
【０００３】
特許文献１には、ドラムを回転させてメッセンジャワイヤまたはケーブルなどの下線を繰り出す線出器（ケーブルドラム支持装置）が開示されている。この線出器は、線出器本体と複数のブレーキとを備え、その複数のブレーキは、各々、線出器本体に取り付けられ、回動するドラムに対して制動力を付与して回動を制御するように構成されている。そして、この線出器は、複数のブレーキのうちの何れかのブレーキが故障しても他のブレーキによりドラムが制動されるように構成されている。これにより、架線敷設作業の安全性を高めることができる、と記載されている。
【０００４】
特許文献２には、ブレーキ制動を加えつつドラムを回転させてメッセンジャワイヤ、ケーブル延線ロープ、またはケーブルなどの架線を繰り出すブレーキ付線出器が開示されている。このブレーキ付線出器は、線出器本体とブレーキドラムと摩擦力付与部とバンド帯と固定部と梃子部と調整ハンドルとを備えている。ブレーキドラムは、線出器本体の側部に回動自在に軸支されるとともに、ドラム装着時に一体に固定されている。摩擦力付与部は、ブレーキドラムの外周面に周接している。バンド帯は、ブレーキドラムの外周面に沿うように配置され、摩擦力付与部が固着されるように構成されている。固定部は、線出器本体に取り付けられ、バンド帯の一端を固定する。梃子部は、支軸を介して線出器本体に回動自在に取り付けられ、一端がバンド帯の他端を遊支するように構成されている。調整ハンドルは、支軸を挟んでバンド帯の反対側に配置され、梃子部を移動させてバンド帯の張り具合を調整する。そして、このブレーキ付線出器では、調整ハンドルを回転させることにより、ブレーキ制動力を調整することができる。これにより、ブレーキ付線出器では、ブレーキ制動力の調整作業を容易に行うことができる、と記載されている。
【特許文献１】特開２００１−３２７０１４号公報
【特許文献２】特開２００３−１４８５２１号公報
【発明の開示】
【発明が解決しようとする課題】
【０００５】
しかしながら、特許文献１及び２に開示されている技術は、作業員がブレーキを調整するように構成されている。そのため、ブレーキを掛けるべきときに、作業員がブレーキを掛けるのを忘れてしまえば、余分なケーブルが巻き出されてしまう。なお、余分なケーブルとは、架設作業に必要なケーブルよりも長く巻き出されてしまったケーブルを意味する。
【０００６】
また、このようにして巻き出された余分なケーブルは、地面に接触したり、地上に置いてある物に巻き付いたりする虞がある。その結果、巻き出された余分なケーブルは、ケーブル表面にキズが付いたり、ケーブル内部で心線が断線したりしてしまうため、電柱間に架設することができなくなってしまう。よって、巻き出されたケーブルが無駄となってしまう。
【０００７】
本発明は、かかる点に鑑みてなされたものであり、その目的とするところは、作業員によるドラム回転制御指示が発令されなくてもドラム回転が制御され、それにより、余分なケーブルが巻き出されないケーブルドラム支持装置を提供することにある。
【課題を解決するための手段】
【０００８】
本発明のケーブルドラム支持装置は、筒の両端に筒よりも大径のフランジが形成され、筒にケーブルが巻き付けられるケーブルドラムを支持する。そして、ケーブルドラムの少なくとも一部が収容される柱状の収容部を有する装置本体部と、収容部の長手方向に延びて装置本体部に固定され、且つ、筒内部と連通可能にフランジに形成されたシャフト孔に挿通される軸部と、装置本体部に取り付けられ、フランジの周縁に押しつけられてフランジと共回りをすることによりケーブルドラムの回転を制御する回転制御手段と、軸部と略平行に延びる第１及び第２の棒状部材と、第１及び第２の棒状部材をそれぞれ装置本体部に付勢させる第１及び第２の弾性体と、第１の弾性体に挿通された第１の挿通部材の長手方向に移動可能であり、第１の挿通部材に固定される固定手段を有する第１の固定具と、第２の弾性体に挿通された第２の挿通部材の長手方向に移動可能であり、第２の挿通部材に固定される固定手段を有する第２の固定具とを備えている。第２の棒状部材は、軸部に対して第１の棒状部材とは反対側に位置している。第１及び第２の棒状部材は、それぞれ、第１及び第２の挿通部材に取り付けられており、第１及び第２の挿通部材の長手方向において第１及び第２の弾性体と第１及び第２の固定具とで挟まれている。第１の固定具が第１の挿通部材の長手方向に移動すると、第１の棒状部材と軸部との距離が変わり、且つ、第１の弾性体の伸縮量が変わる。同じく、第２の固定具が第２の挿通部材の長手方向に移動すると、第２の棒状部材と軸部との距離が変わり、且つ、第２の弾性体の伸縮量が変わる。第１の棒状部材と軸部との距離が第２の棒状部材と軸部との距離よりも短くなるように、第１及び第２の固定具はそれぞれ第１及び第２の挿通部材の所定の位置に固定されている。回転制御手段は、第１の棒状部材がケーブルドラムの回転に伴ってケーブルドラムの回転方向とは逆向きに回転するように構成されている。ケーブルドラムが回転したときには、第２の棒状部材はケーブルドラムの回転方向とは逆向きに第１の棒状部材よりも弱く回転する。
【０００９】
このような構成では、ケーブルドラムの回転に伴って、回転制御手段がケーブルドラムの回転を制御する。そのため、作業員がケーブルドラムの回転制御を指示しなくても、ケーブルドラムの回転を制御することができる。よって、ケーブルドラム支持装置の利便性を向上させることができる。
【００１０】
また、ケーブルドラムの回転を制御できるため、ケーブルドラムの空回りを防止でき、その結果、不必要なケーブルの地面への接触や物体への絡まりを防止できる。そのため、ケーブル表面にキズが付いたり、ケーブル内部の心線が切れたりすることを防止できる。
【００１１】
また、第２の棒状部材は、ケーブルドラムの回転方向とは逆向きに第１の棒状部材よりも弱く回転するので、ケーブルドラムの回転を補助的に制御する。
【００１２】
また、作業中において、ケーブルを引っ張る速さとケーブルドラムに巻き付けられているケーブルの長さとの関係によっては、ケーブルドラムの回転制御が困難となる場合がある。この場合であっても、第２の棒状部材が取り付けられているため、ケーブルがフランジからはみ出てしまうことを防止できる。
【００１３】
さらに、このような構成では、異なるフランジの外径を有するケーブルドラムであっても、ケーブルドラムを支持することができる。
【００１４】
後述の好ましい実施形態では、第１及び第２の挿通部材は、それぞれ、装置本体部の収容部の底部から開口へ向かう方向に延びている。また、第２の弾性体は、第１の弾性体よりも縮んでいる。
【００１５】
後述の好ましい実施形態では、第１及び第２の挿通部材はネジであり、第１及び第２の固定具はナットである。
【発明の効果】
【００１７】
本発明によれば、作業員によるドラム回転制御指示が発令されなくてもドラム回転が制御され、それにより、余分なケーブルが巻き出されることはない。
【発明を実施するための最良の形態】
【００１８】
本発明の説明をする前に、図７を用いて、従来のケーブルドラム支持装置９０を説明する。なお、図７には、光ケーブル７０がケーブルドラム８０に７回巻かれている様子が記載されているが、巻き数が限定されないことは言うまでもない。
【００１９】
従来のケーブルドラム支持装置９０は、図７に示すように、１本の軸部９１と、２つの連結具９３，９３と、２本の脚部９５，９５と、で構成されており、いずれも金属製である。
【００２０】
軸部９１は、ケーブルドラム８０の巻き取り部８１の中空部及び各フランジ８２のシャフト孔に挿通可能となるように、形成されている。
【００２１】
各連結具９３は、略Ｔ字状であり、軸部９１と各脚部９５とを連結している。具体的には、連結具９３は、軸部９１が内部に挿通可能な軸挿通部９３ａと、連結具９５の上部が嵌合可能な嵌合部９３ｂとを有し、軸挿通部９３ａと嵌合部９３ｂとが略垂直に配置されてＴ字状を形成している。
【００２２】
各脚部９５は、地面に設置される板状の設置部９５ａと、設置部９５ａから延びてケーブルドラム８０を支持する３本の支持部９５ｂ，９５ｂ，９５ｂとを備えている。
【００２３】
そして、従来のケーブルドラム支持装置９０を用いて光ケーブル７０を架線するためには、まず、光ケーブル７０が巻かれたケーブルドラム８０と、軸部９１と、２つの連結具９３，９３と、２本の脚部９５，９５とを作業現場まで運搬する。
【００２４】
次に、ケーブルドラム８０の巻き取り部８１の長手方向の長さよりも若干長めの間隔を空けて、支持部９５ｂ，９５ｂが地面から上方へ延びるように、また、互いに略平行となるように、設置部９５ａ，９５ａを地面の上に置く。そして、各脚部９５の上部に、各連結具９３の嵌合部９３ｂを嵌合させる。
【００２５】
続いて、２本の脚部９５，９５の間に、軸部９１が巻き取り部の中空部及び各フランジのシャフト孔に挿通可能となるように、ケーブルドラムを配置する。その後、軸部９１の一端を、一方の脚部９５に嵌合された連結具９３の軸挿通部９３ａに挿通させ、ケーブルドラム８０の巻き取り部８１の中空部及び各フランジ８２のシャフト孔に挿通させて、他方の脚部９５に嵌合された連結具９３の軸挿通部９３ａに挿通させる。これにより、光ケーブル７０がケーブルドラム８０から巻きだし可能となる。
【００２６】
しかし、従来のケーブルドラム支持装置９０には、以下に示す２つの不具合がある。
【００２７】
１つ目の不具合は、作業現場で、ケーブルドラム支持装置９０を組み立てなければならない、ということである。すなわち、作業現場まで、ケーブルドラム８０と、軸部９１と、２つの連結具９３，９３と、２本の脚部９５，９５とを運搬しなければならない。そして、いずれも軽量ではないため、一人での運搬が不可能であり、複数の人間の労力が必要となる。その上、運搬後、組み立てて架設を行い、架設終了後、解体するため、作業時間が長時間となり、作業効率の低下を招来する。
【００２８】
２つ目の不具合は、従来のケーブルドラム支持装置９０がブレーキ機能を有していない、ということである。そのため、ケーブルドラム８０の空回りを防止することができず、余分な光ケーブルが巻き出されてしまう虞がある。その結果、巻き出された光ケーブルが地面に接触したり、地上の物に巻き付いたりして、ケーブル表面にキズが付いたり、ケーブル内部の心線が切断されてしまう。
【００２９】
また、上述のように、特許文献１及び２等には、ブレーキ機能を有するケーブルドラム支持装置が開示されているが、いずれも、作業員による回転制御指示が発令されて回転が制御される。そのため、作業員が不注意で回転制御指示の発令を忘れると、ケーブルドラムの空回りを止めることができない。
【００３０】
そこで、本願発明者らは、上記の点に鑑みて、効率良く架設作業を行うことができるとともに、ケーブルドラムの空回りを自動的に防止可能なケーブルドラム支持装置を発明した。以下、本発明の実施形態を図面に基づいて詳細に説明する。
【００３１】
本実施形態では、光ケーブル１０としてドロップケーブルを例に挙げ、図１から図５を用いて、光ケーブル１０の構成、ケーブルドラム２０の構成、ケーブルドラム支持装置３０の構成及びケーブルドラム支持装置３０を用いた架設方法を示す。
【００３２】
まず、図１及び図２を用いて、光ケーブル１０及びケーブルドラム２０の構成を示す。図１は、光ケーブル１０の横断面図である。図２は、ケーブルドラム２０の斜視図である。
【００３３】
光ケーブル１０は、図１に示すように、ケーブル本体部１と支持線部２と首部３とを備え、ケーブル本体部１と支持線部２とは、互いに長手方向を揃えて、首部３を介して連結されている。ケーブル本体部１は、１本または複数本の光ファイバ４，４，…と、テンションメンバ５，５と、共通被覆６とで構成されている。テンションメンバ５，５は、各々、光ファイバ４から所定距離隔てた上下に配置され、光ケーブル本体部１における張力を保つ。共通被覆６は、光ファイバ４，４，…とテンションメンバ５，５との外周に施されている。また、支持線部２は、支持線７と被覆８とで構成されており、支持線７の外周に被覆８が施されている。
【００３４】
ケーブルドラム２０は、図２に示すように、巻き取り部（筒）２１と、シャフト孔２２ａを有するフランジ２２，２２とで構成されており、いずれも樹脂製である。巻き取り部２１は、円筒状に形成され、光ケーブル１０が巻き付けられる部分である。各フランジ２２は、巻き取り部２１の外径よりも大きな径の円盤状に形成され、シャフト孔２２ａと巻き取り部２１の筒の中空部とが連通されて、巻き取り部２１の端部に連結されている。
【００３５】
次に、図３、図４及び図６を用いて、ケーブルドラム支持装置３０の構成を示す。図３は、装置本体部３１を上から見た図である。図４は、装置本体部３１を側面側から見た図である。図６は、距離変更手段Ｂ付近の拡大図である。なお、以下において、「装置本体部３１の正面」とは、作業時に作業員側に配置される装置本体部３１の面を意味し、「装置本体部３１の背面」とは、作業時に作業員から離れて配置される装置本体部３１の面を意味する。
【００３６】
ケーブルドラム支持装置３０は、図３及び図４に示すように、樹脂製の装置本体部３１と軸部３９とを備えている。なお、軸部３９（図５に図示）は、金属製パイプであり、巻き取り部２１の中空部及び各フランジ２２の各シャフト孔２２ａに挿通可能となるように形成されている。
【００３７】
装置本体部３１は、図３及び図４に示すように、上面を有していない略直方体状の箱である。そして、その箱内部（収容部）３１ａに、ケーブルドラム２０の一部が収容される。
【００３８】
装置本体部３１の両側面には、各々、外部連結具３２，３２が装置本体部３１の外側に取り付けられており、内部連結具３３，３３が装置本体部３１の内側に取り付けられている。各外部連結具３２及び各内部連結具３３は、各々、長尺な板状部材であり、各側面の長手方向に延びて、且つ、上面が各側面の上部と面一となるように、取り付けられている。また、各外部連結具３２の上面には、軸固定具３７が取り付けられている。各内部連結具３３には、樹脂製の半円盤状のフランジ当接部３５が、装置本体部３１の内側を向いて取り付けられている。各フランジ当接部３５は、各フランジ２２を当接するだけでなく、光ケーブル１０が取り出される際には、その取り出し方向に各フランジ２２を回転させるように構成されている。
【００３９】
装置本体部３１の正面及び背面には、各々、切り欠き部３１ｂ，３１ｂが上部から下方へ向かって形成されている。これにより、装置本体部３１の正面及び背面は、各々、上部の一部が切り欠けられて形成されている。また、装置本体部３１の正面及び背面には、各々、外部連結具４１，５１が装置本体部３１の外側に取り付けられている。外部連結具４１，５１は、各々、長尺な板状部材であり、正面及び背面の長手方向に延びて、且つ、上面が切り欠き部３１ｂの上部と面一となるように、取り付けられている。
【００４０】
外部連結具４１の上方には、外側管（別の棒状部材）４３及び内側管４４が、外部連結具４１の長手方向と略平行に延びて配置されている。外側管４３は、塩化ビニル製の管である。内側管４４は、鉄管であり、外側管４３よりも小径且つ長尺であり、互いに長手方向を揃えて外側管４３の内部に配置されている。そのため、内側管４４の両端は外側管４３から露出されており、内側管の露出された部分には、各々、ネジ４５，４５が外部連結具４１の上面に向かって刺さっている。なお、各ネジ４５の頭部は、内側管４４の外面よりも上方へ突設している。
【００４１】
図６に示すように、ネジ４５，４５には、各々、バネ（第２弾性体）４６，４６と、ナット（第２距離変更手段）４７，４７と緩衝具４８，４８とが取り付けられている。各バネ４６は、内側管４４よりも下側の各ネジ４５の外側に、各ネジ４５の長手方向に伸縮自在となるように配置されている。各ナット４７は、内側管４４よりも上側の各ネジ４５のネジ溝に螺合され、各ネジ４５のネジ溝に螺合されながら各ネジ４５の頭部と内側管４４の側面との間を移動可能である。また、各ナット４７は固定手段を有しており、これにより、各ネジ４５の長手方向への各ナット４７の移動を阻止することができる。各緩衝具４８は、上側緩衝具と下側緩衝具とで構成されており、内側管４４の側面を挟持可能に形成されている。
【００４２】
外部連結具５１の上方には、外側管（棒状部材）５３及び内側管５４が、外部連結具５１の長手方向と略平行に延びて配置されている。外側管５３は、塩化ビニル製の管であり、フランジ２２，２２が接触可能となるように配置されている。そして、外側管５３が装置本体部３１に付勢される付勢力は、外側管４３が装置本体部３１に付勢される付勢力よりも大きい。内側管５４は、鉄管であり、外側管５３よりも小径且つ長尺であり、互いに長手方向を揃えて外側管５３の内部に配置されている。そのため、内側管５４の両端は外側管５３から露出されており、内側管の露出された部分には、各々、ネジ５５，５５が外部連結具５１の上面に向かって刺さっている。
【００４３】
ネジ５５，５５には、ネジ４５，４５と同様、図６に示すように、各々、バネ（第２弾性体）５６，５６と、ナット（第２距離変更手段）５７，５７と緩衝具５８，５８とが取り付けられている。各バネ５６は、内側管５４よりも下側の各ネジ５５の外側に、各ネジ５５の長手方向に伸縮自在となるように配置されている。各緩衝具５８は、内側管５４の側面を挟持可能に形成されている。各ナット５７は、内側管５４よりも上側の各ネジ５５のネジ溝に螺合され、各ネジ５５のネジ溝に螺合されながら各ネジ５５の頭部と内側管５４の側面との間を移動可能である。また、各ナット５７は固定手段を有しており、これにより、各ネジ５５の長手方向への各ナット５７の移動を阻止することができる。各緩衝具５８は、内側管５４の側面を挟持可能に形成されている。
【００４４】
以上より、外側管５３は、外部連結具５１に固定されることなく、ケーブルドラム２０のフランジ２２が接触可能となるように配置されている。そのため、ケーブルドラム２０が回転すると、外側管５３は、ケーブルドラム２０の回転方向とは逆向きに回転して、ケーブルドラムの回転を制御するように構成されている。すなわち、本実施形態において、ケーブルドラム２０の回転を制御する回転制御手段Ａは、外側管５３である。
【００４５】
なお、外側管４３は、各ネジ４５の頭部が内側管４４よりも上方へ突設されているために、外側管５３よりも下方へ配置されている。具体的には、後述の通り、ネジ４５を下方へ回して外側管４３を下方へ移動させることにより、外側管４３をフランジ２２，２２に軽く接触させている。そのため、外側管４３は、外側管５３よりも、ケーブルドラム２０のフランジ２２へ弱く接触されている。よって、ケーブルドラム２０の回転時に、外側管４３は、その回転方向と逆向きに若干回転されるにすぎず、外側管５３ほどケーブルドラム２０の回転を制御しない。すなわち、外側管４３は、ケーブルドラム２０の回転を補助的に制御する。
【００４６】
続いて、図５を用いて、光ケーブル１０を架線する方法を示す。図５は、ケーブルドラム２０が取り付けられたドラム支持装置１３０の側面側から見た図である。
【００４７】
まず、図４に示すケーブルドラム支持装置３０を組み立てる。
【００４８】
ケーブルドラム支持装置３０を組み立てるためには、まず、装置本体部３１と、外側連結具４１，５１と、塩化ビニル製の外側管４３，５３と、鉄製の内側管４４，５４とを用意する。
【００４９】
次に、上面が切り欠き部３１ｂ，３１ｂと面一となるように、装置本体部３１の外側に外側連結具４１，５１を取り付ける。また、互いに長手方向を揃えて、内側管４４，５４を、各々、外側管４３，５３の内部に挿入する。
【００５０】
続いて、ネジ４５，５５を２本ずつ、ナット４７，５７を２個ずつ、緩衝具４８，５８を２個ずつ用意する。そして、各ネジ４５，５５のネジ溝に各ナット４７，５７を螺合させて、各ナット４７，５７よりもネジ先端側に各緩衝具４８，５８の上側緩衝具を取り付ける。また、外側連結具４１，５１の上面の各端には、各バネ４６，５６を戴置し、各バネ４６，５６の上端には各緩衝具４８，５８の下側緩衝具を戴置する。
【００５１】
続いて、内側管４４，５４が各々挿入された外側管４３，５３を、各々、外側連結具４１，５１の上方に配置し、各ナット４７，５７及び各緩衝具４８，５８の上側緩衝具が取り付けられたネジ４５，５５を、外側管４３，５３から露出された内側管４４，５４の上方から外側連結具４１，５１の上面へ向かって差す。これにより、図４に示すケーブルドラム支持装置３０を組み立てることができる。
【００５２】
次に、図５に示すように、ケーブルドラム２０をケーブルドラム支持装置３０に支持させる。具体的には、ケーブルドラムの一部を装置本体部３１の内部３１ａに収容させ、各フランジ２２を切り欠き部３１ｂ，３１ｂの上部に接触させて、巻き取り部２１の中空部及びケーブルドラム２０のシャフト孔２２ａに軸部３９を挿通させる。そして、一方のフランジ当接部３５に一方のフランジ２２を当接させて、その軸部３９の両端を、各々、軸固定部３７，３７に固定する。すると、ケーブルドラム２０の重みにより、各バネ４６，５６が縮み、外側管４３，５３がフランジ２２，２２の一部に接触する。そして、緩衝具５８の上側緩衝具を内側管５４の上に戴置し、内側管５４の上にナット５７を戴置する。また、同様に、緩衝具４８の上側緩衝具を内側管４４の上に戴置し、内側管４４の上にナット４７を戴置する。そして、ナット４７をネジ４５に螺合させながら若干下方へ移動させ、外側管４３をフランジ２２，２２の一部に軽く接触させる。そして、ナット４７をその位置に固定させる。これにより、外側管５３をフランジ２２に付勢させる一方、外側管４３をフランジ２２に軽く接触させる。
【００５３】
続いて、ケーブルドラム２０を取り付けたケーブルドラム支持装置１３０を、作業現場まで運搬する。
【００５４】
続いて、ケーブルドラム２０から光ケーブル１０を巻きだし、所定の箇所に架設する。このとき、図５に示すように、外側管５３は、ケーブルドラム２０のフランジ２２に接触しているため、ケーブルドラム２０の回転に伴ってその回転方向とは逆向きに回転する。これにより、ケーブルドラム２０の回転が制御され、ケーブルドラム２０を空回りさせることなく架設作業を行うことができる。また、外側管４３は、ケーブルドラム２０のフランジ２２に軽く接触しているため、ケーブルドラム２０の回転に伴ってその回転方向とは逆向きに若干回転する。これにより、ケーブルドラム２０の回転が若干制御される。
【００５５】
フランジの外径の異なるケーブルドラムを用いて架設作業を行う場合、ケーブルドラム２０をケーブルドラム支持装置３０から取り外し、ナットの固定を解除する。すると、各バネ４６，５６は、各々、復元力に従って延びる。その後、フランジの外径の異なるケーブルドラムを固定する。すると、各バネ４６，５６は、各々、再度縮む。このとき、各バネ４６，５６は、各々、より大きなフランジ外径を有するケーブルドラムが固定された場合には、さらに縮み、より小さなフランジ外径を有するケーブルドラムが固定された場合には、それほど縮まない。これにより、ケーブルドラム支持装置３０は、異なるフランジの外径を有するケーブルドラムを支持することができる。
【００５６】
以上より、本実施形態におけるケーブルドラム支持装置３０は、回転制御手段Ａを備えている。回転制御手段Ａは、ケーブルドラム２０の回転により、外側管５３がその回転方向と逆向きに回転してケーブルドラム２０の回転を制御するように構成されている。そのため、ケーブルドラム２０の空回りを防止することができる。その結果、余分なケーブルが巻き出されることなく、架設作業を行うことができる。そのため、巻き出された余分なケーブルが地面と接触したり、地上の物に巻き付いたりすることはない。よって、架設前に、ケーブル表面にキズが付いたり、ケーブル内部で心線が切れてしまったりすることはなく、光ケーブル１０が無駄になってしまうことはない。
【００５７】
また、外側管４３が装置本体部３１に付勢される付勢力が、外側管５３が装置本体部３１に付勢される付勢力よりも大きくなるように、ケーブルドラム支持装置３０は構成されている。換言すると、図５に示す通り、外側管４３は、外側管４３に比べてフランジ２２，２２に軽く接触している。その結果、外側管４３は、ケーブルドラム２０の回転により、その回転方向と逆向きに若干回転してケーブルドラム２０の回転を制御するように構成されている。そのため、ケーブルドラム２０の空回りを若干防止することができる。さらに、光ケーブル１０を引っ張る速さとケーブルドラム３０に巻かれている光ケーブル１０の長さとの関係によっては、回転制御手段Ａによる回転制御を行えない場合がある。その場合であっても、外側管４３により、光ケーブル１０がフランジ２２，２２からはみ出てしまうことを防止することができる。
【００５８】
また、ケーブルドラム支持装置３０は、外側管４３，５３を備えている。そのため、本実施形態のように、外側管４３がケーブルドラム２０の回転を補助的に制御し外側管５３がケーブルドラム２０の回転を制御するように、ケーブルドラム２０をケーブルドラム支持装置３０に支持させることができるだけでなく、逆に、外側管４３がケーブルドラム２０の回転を制御し外側管５３がケーブルドラム２０の回転を補助的に制御するように、ケーブルドラム２０をケーブルドラム支持装置３０に支持させることができる。従って、ケーブルドラム支持装置３０は、ケーブルドラム２０の回転方向や光ケーブル１０の巻きだし方向を考慮することなく、ケーブルドラム２０を支持することができる。
【００５９】
さらに、外側管４３，５３は、ケーブルドラム支持装置３０の下方に設置されている。そのため、ケーブルドラム２０をケーブルドラム支持装置３０に容易に設置することができる。
【００６０】
その上、外側管４３，５３は、ネジ４５，５５により装置本体部３１に固定されているため、光ケーブル１０がドラム回転時にケーブルドラム２０からはみ出してしまうことを防止することができる。
【００６１】
また、ケーブルドラム支持装置３０は、距離変更手段Ｂを備えている。そのため、ケーブルドラム支持装置３０は、フランジ２２の外径が変わっても、ケーブルドラム支持装置３０にそのケーブルドラムを取り付けて架設作業を行うことができるように構成されている。よって、ケーブルドラムの大きさに合わせてケーブルドラム支持装置を変える必要はなく、経済的である。
【００６２】
また、ケーブルドラム支持装置３０は、従来のケーブルドラム支持装置９０と異なり、装置の組立が不要なため、架設時間を短縮することができる。また、ケーブルドラム支持装置３０を一人で運搬可能なため、少ない人数で作業を行うことができる。そのため、ケーブルドラム支持装置３０は、作業効率を向上させることができる。
【００６３】
なお、本実施形態において、距離変更手段は、外側管４３，５３が、各々、各バネ４６，５６の伸縮に伴って、各ネジ４５，５５の長手方向に沿って移動可能となるように構成されているとしたが、外側管４３，５３が上下方向、左右方向、フランジの半径方向に移動可能となるように構成されていてもよい。
【００６４】
また、外側管４３，５３は、何れも、ケーブルドラム支持装置３０の下方に設けられているとしたが、フランジ２２に接触可能であればケーブルドラム支持装置３０の下方以外に設けられていても良い。ただし、ケーブルドラム２０をケーブルドラム支持装置３０に設置する際の利便性を考慮すると、外側管４３，５３は、何れも、ケーブルドラム支持装置３０の下方に設けられていることが好ましい。
【００６５】
外側管４３が装置本体部３１に付勢される付勢力は、外側管５３が装置本体部３１に付勢される付勢力よりも大きくなるとしたが、各バネ４６の伸縮力が各バネ５６の伸縮力よりも大きくなるように構成されていてもよい。
【００６６】
装置本体部３１は、略直方体状の箱であるとしたが、角柱状の箱であってもよい。装置本体部３１の形状は、ケーブルドラム２０の一部が収容される形状であれば、特に限定されない。また、装置本体部３１は蓋を備えていてもよく、その場合には、蓋は、ケーブルドラム２０を支持後、ケーブルドラム２０の上面を覆うように構成されていることが好ましい。
【００６７】
各外部連結具３２及び各内部連結具３３の代わりに、各々、装置本体部３１の各側面の上部が装置本体部３１の外側及び内側に延びて形成されていてもよい。同様に、外部連結具４１の代わりに、各々、装置本体部３１の正面の上部が装置本体部３１の外側に延びて形成されていてもよく、外部連結具５１の代わりに、各々、装置本体部３１の背面の上部が装置本体部３１の外側に延びて形成されていてもよい。
【００６８】
軸部３９は、金属製パイプとしたが、樹脂製パイプであってもよい。軸部３９の材質は、特に限定されない。同様に、外側管４３，５３の材質は、各々、塩化ビニルとしたが、塩化ビニルに限定されない。また、内側管４４，５４の材質は、各々、鉄としたが、鉄に限定されない。さらに、内側管４４，５４は、各々、管でなく、棒であってもよい。
【００６９】
また、ケーブルドラム２０において、巻き取り部２１及びフランジ２２，２２は、何れも樹脂製であるとしたが、発泡スチロール製であってもよく、厚紙製であってもよく、その材質に限定されることはない。
【産業上の利用可能性】
【００７０】
以上説明したように、本発明は、ケーブルドラム支持装置について有用である。
【図面の簡単な説明】
【００７１】
【図１】ケーブルの横断面を示す図である。
【図２】ケーブルドラムの正面図である。
【図３】ケーブルドラム支持装置を上方から見た図である。
【図４】ケーブルドラム支持装置を側面から見た平面図である。
【図５】ケーブルドラムが取り付けられたケーブルドラム支持装置を側面から見た図である。
【図６】距離変更手段付近の拡大図である。
【図７】従来におけるケーブルドラム支持装置を正面から見た図である。
【符号の説明】
【００７２】
１０    光ケーブル
２０    ケーブルドラム
２１    巻き取り部（筒）
２２    フランジ
２２ａ    シャフト孔
３０    ケーブルドラム支持装置
３１    装置本体部
３１ａ    収容部
３９    軸部
４３，５３    外側管（棒状部材）
４４，５４    内側管（別の棒状部材）
４６，５６    バネ（第１及び第２弾性体）
４７，５７    ナット
Ａ    回転制御手段
Ｂ    距離変更手段
【図１】
0004745775.tif 000002
【図２】
0004745775.tif 000003
【図３】
0004745775.tif 000004
【図４】
0004745775.tif 000005
【図５】
0004745775.tif 000006
【図６】
0004745775.tif 000007
【図７】
0004745775.tif 000008